(57)【要約】記録媒体（１２）を収納するための収納パッケージ（１０、１００）が、少なくとも１つの側面と第１の係合端部（１６）とを有する第１のフレーム部材（１４、１１４）と、少なくとも１つの側面と第２の係合端部（２２）とを有する第２のフレーム部材（２０、１２０）と、を備え、第１のフレーム部材と第２のフレーム部材（１４、２０、１１４、１２０）とが互いに回動可能に係合し、第１および第２のフレーム部材（１４、２０、１１４、１２０）のうちの少なくとも一方がブランク（２６）を受け取るための少なくとも１つの側面を有している。  ブランク（２６）は、引っかき線（３２）によって形成された複数の略平面のパネル（２８、２９、３０）を有し、第１および第２のフレーム部材（１４、２０、１１４、１２０）が有する少なくとも１つの受取部（１８）に摺動可能に挿入されるようになっている。  ブランク（２６）が第１および第２のフレーム部材（１４、２０、１１４、１２０）に係合されることにより、記録媒体（１２）を囲む空間が形成される。
2006509692.tif 000002
【特許請求の範囲】
【請求項１】
記録媒体(１２)を収納するための収納パッケージ（１０、１００）において、
前記パッケージ（１０、１００）は、
少なくとも１つの側面に第１の係合端部（１６）を、前記少なくとも１つの側面に沿ってブランク受取部（１８）を有する第１のフレーム部材（１４、１１４）と、
前記第１の係合端部（１６）と係合するように構成された第２の係合端部（２２）、および少なくとも１つの側面にブランク受取部（１８）を有する第２のフレーム部材（２０、１２０）と、
前記第１および第２のフレーム部材（１４、２０、１１４、１２０）が有する少なくとも１つの前記ブランク受取部（１８）に挿入されるよう形成され、引っかき線（３２）によって形成された複数の略平面のパネル（２８、２９、３０）によって構成されるブランク（２６）と、を備え、
前記ブランク（２６）が前記フレーム部材（１４、２０、１１４、１２０）に係合された状態において、前記記録媒体（１２）を囲む空間が前記ブランク（２６）と前記フレーム部材（１４、２０、１１４、１２０）とによって形成されるようにしたことを特徴とする収納パッケージ（１０、１００）。
【請求項２】
少なくとも一つの前記ブランク受取部（１８）が、レース溝（３８）として形成されることを特徴とする請求項１に記載のパッケージ（１０，１００）。
【請求項３】
少なくとも１つの前記フレーム部材（１４、２０、１１４、１２０）が、少なくとも１つの細長いフレーム部（１４ａ、１４ｂ、１４ｃ、１４ｄ、２０ａ、２０ｂ、２０ｃ、２０ｄ、１１４ａ、１１４ｂ、１１４ｃ、１１４ｄ、１２０ａ、１２０ｂ、１２０ｃ、１２０ｄ）を有し、各々の前記フレーム部（１４ａ、１４ｂ、１４ｃ、１４ｄ、２０ａ、２０ｂ、２０ｃ、２０ｄ、１１４ａ、１１４ｂ、１１４ｃ、１１４ｄ、１２０ａ、１２０ｂ、１２０ｃ、１２０ｄ）が開口するレース溝（３８）を形成し、対向する前記レース溝（３８）が前記パネル（２８、２９、３０）を摺動可能に収容するチャンネル（４６）を形成することを特徴とする請求項１に記載のパッケージ（１０、１００）。
【請求項４】
各々の前記フレーム部材（１４、２０、１１４、１２０）が、前記チャンネル（４６）を形成する一組の対向するレース溝（３８）を有することを特徴とする請求項３に記載のパッケージ（１０、１００）。
【請求項５】
前記レース溝（３８）がＣ字の形状を有することを特徴とする請求項３に記載のパッケージ（１０、１００）。
【請求項６】
前記レース溝（３８）が、複数のブランク（２６）を収容する大きさを有することを特徴とする請求項３に記載のパッケージ（１０、１００）。
【請求項７】
前記フレーム部材（１４、２０、１１４、１２０）および前記パネル（２８、２９、３０）が、折畳軸（４４）を中心に折畳可能で、
各々の前記フレーム部材（１４、２０、１１４、１２０）の前記ブランク受取部（１８）が、前記ブランク（２６）を摺動可能に収容するレース溝（３８）を含み、
少なくとも１つの前記レース溝（３８）が、前記折畳軸（４４）に対して平行および垂直のうち少なくとも１つの方向に前記ブランク（２６）を収納することを特徴とする請求項１に記載のパッケージ（１０、１００）。
【請求項８】
前記パネル（２８、２９、３０）が、中央の背部のパネル（２９）と、前記中央の背部のパネル（２９）に回転可能に結合される第１および第２のメインパネル（２８、３０）とを有し、
前記第１および第２のメインパネル（２８、３０）が、折畳軸（４４）を中心に開状態と閉状態との間において回動可能であることを特徴とする請求項１に記載のパッケージ（１０、１００）。
【請求項９】
少なくとも１つの前記フレーム部材（１４、２０、１１４、１２０）に接続可能なヒンジ（７２、１７２）を更に有し、前記ヒンジ（７２、１７２）が、前記第１の係合端部（１６）と前記第２の係合端部（２２）とを回転可能に接続することを特徴とする請求項８に記載のパッケージ（１０、１００）。
【請求項１０】
前記ヒンジ（７２、１７２）は、前記中央の背部のパネル（２９）と重ね合わされ、前記パッケージ（１０）の前記閉状態において前記ブランク（２６）を前記折畳軸（４４）に対して垂直方向に移動可能とするよう形成されていることを特徴とする請求項９に記載のパッケージ（１０、１００）。
【請求項１１】
前記ヒンジ（７２、１７２）が、少なくとも１つの前記フレーム部材（１４、２０、１１４、１２０）と一体的に形成されることを特徴とする請求項９に記載のパッケージ（１０、１００）。
【請求項１２】
閉状態において前記第１および第２のフレーム部材（１４，２０、１１４、１２０）を互いに固定するための固定部（９２）を更に有することを特徴とする請求項１に記載のパッケージ（１０、１００）。
【請求項１３】
前記固定部（９２）が、前記第１および第２のフレーム部材（１４、２０、１１４、１２０）うちの一方に設けられるピン（９４）と、他方に設けられ前記ピン（９４）を受け入れる開口（９６）とを有し、
前記ピン（９４）が、前記開口（９６）から突出し、前記開口（９６）と前記ピン（９４）との間に封をすることを特徴とする請求項１２に記載のパッケージ（１０、１００）。
【請求項１４】
前記ピン（９４）を広げる、あるいは平らにすることによって形成されたリベットが、前記開口（９６）と前記ピン（９４）との間に封をすることを特徴とする請求項１３に記載のパッケージ（１０、１００）。
【請求項１５】
前記ブランク（２６）が、折り曲げ可能な上部パネル（８４）を更に有し、
前記第１および第２のフレーム部材（１４、２０、１１４、１２０）のうち少なくとも一方が保護用小面（８６）を有することを特徴とする請求項１に記載のパッケージ（１０、１００）。
【請求項１６】
前記小面（８６）が、対応する前記第１および第２のフレーム部材（１４、２０、１１４、１２０）の端に沿って固定されることを特徴とする請求項１５に記載のパッケージ（１０、１００）。
【請求項１７】
第１および第２のフレーム部材（１４、２０、１１４、１２０）のうち少なくとも１つと接続し、記録媒体１２を離脱可能に固定するための、弾力性を有するディスク係合ハブ（５２）を更に有し、
前記ハブ（５２）が、略ドーム形状の押圧部（５６）と、記録媒体（１２）を係合するためのグリップ部（５８）とを有することを特徴とする請求項１に記載のパッケージ（１０、１００）。
【請求項１８】
前記フレーム部（１４ａ、１４ｂ、１４ｃ、１４ｄ、２０ａ、２０ｂ、２０ｃ、２０ｄ、１１４ａ、１１４ｂ、１１４ｃ、１１４ｄ、１２０ａ、１２０ｂ、１２０ｃ、１２０ｄ）が、成形されたクリップ（９０）を有することを特徴とする請求項１に記載のパッケージ（１０、１００）。
【請求項１９】
ハブホルダー（４８、１４８）を更に有し、前記ハブホルダー（４８、１４８）がＸ字型を有することを特徴とする請求項１に記載のパッケージ（１０、１００）。
【請求項２０】
互いに固定されるよう少なくとも１つの係合端部（１６、２２）を各々有する一組のフレーム部材（１４、２０、１１４、１２０）を準備するステップと、
ブランク（２６）の側部を受け取るためのブランク受取部（１８）と、厚さの異なる少なくとも１つ以上のブランクを収納するための前記ブランク受取部（１８）を有する少なくとも１つのフレーム部材（１４、２０、１１４、１２０）とを準備するステップと、
少なくとも１つの前記ブランク受取部（１８）に挿入され、引っかき線（３２）によって形成された複数の略平面のパネル（２８、２９、３０）によって構成されるブランク（２６）を準備するステップと、
前記ブランク（２６）を前記第１および第２のフレーム部材（１４、２０、１１４、１２０）に係合させ、前記記録媒体（１２）を囲む空間を前記ブランク（２６）と前記フレーム部材（１４、２０、１１４、１２０）とによって形成するステップと、によって構成されるパッケージ（１０、１００）の組み立て方法。
【請求項２１】
前記ブランク（２６）を、前記第１および第２のフレーム部材（１４、２０、１１４、１２０）のうちの一方が有する第１の端部から挿入し、他方のフレーム部材に摺動させることにより、前記ブランク（２６）を前記第１および第２のフレーム部材（１４、２０、１１４、１２０）に係合させることを特徴とする請求項２０に記載のパッケージ（１０、１００）の組み立て方法。
【請求項２２】
前記第１および第２のフレーム部材（１４、２０、１１４、１２０）が、前記ブランク（２６）を摺動可能に収容するためのレース溝（３８）を各々形成し、
前記レース溝（３８）が、前記ブランク（２６）を折畳軸（４４）に対して平行および垂直のうち少なくとも１つの方向に収納することを特徴とする請求項２０に記載のパッケージ（１０、１００）の組み立て方法。
【請求項２３】
前記パネル（２８、２９、３０）が前記第１および第２のフレーム部材（１４、２０、１１４、１２０）に係合するよう、前記ブランク（２６）を前記第１および第２のフレーム部材（１４、２０、１１４、１２０）に係合するステップと、
前記第１および第２のフレーム部材（１４、２０、１１４、１２０）をお互いに固定するステップとを更に有することを特徴とする請求項２０に記載のパッケージ（１０、１００）の組み立て方法。
【請求項２４】
前記第１および第２のフレーム部材（１４、２０、１１４、１２０）をお互いに固定する際に、ヒンジ（７２、１７２）を準備することを特徴とする請求項２３に記載のパッケージ（１０、１００）の組み立て方法。
【請求項２５】
前記ヒンジ（７２、１７２）を、前記第１および第２のフレーム部材（１４、２０、１１４、１２０）がそれぞれ有する第１および第２の係合端部（１６、２２）に係合することを特徴とする請求項２４に記載のパッケージ（１０、１００）の組み立て方法。
【請求項２６】
前記第１および第２のフレーム部材（１４、２０、１１４、１２０）が、前記ブランク（２６）の対向する端部からそれぞれ挿入されることを特徴とする請求項２３に記載のパッケージ（１０、１００）の組み立て方法。
【請求項２７】
前記第１および第２のフレーム部材（１４、２０、１１４、１２０）が、ブランク（２６）に挿入する前にお互いに一体的に接続されることを特徴とする請求項２０に記載のパッケージ（１０、１００）の組み立て方法。
【請求項２８】
記録媒体(１２)を収納するための収納パッケージ（１０、１００）用のハブ（５２）において、前記ハブ（５２）が、
前記記録媒体（１２）を離脱可能に固定するよう少なくとも１つのフレーム部材（１４、２０、１１４、１２０）に固定され、弾力性を有しディスクを係合するハブ構造と、
略環状を有し、前記ハブ構造を少なくとも１つの前記フレーム部材（１４、２０、１１４、１２０）に接続する基盤部（５０）と、を備え、
前記ハブ構造が、略ドーム形状を有し、前記記録媒体（１２）を係合するための少なくとも１つのグリップ部（５８）を有することを特徴とするハブ（５２）。
【請求項２９】
前記記録媒体（１２）を係合するための前記少なくとも１つのグリップ部（５８）が、前記記録媒体（１２）をフレーム（２４、１２４）と接触しないように保持することを特徴とする請求項２４に記載のハブ（５２）。
【請求項３０】
前記フレーム（２４、１２４）と異なる材質により構成されることを特徴とする請求項２４に記載のハブ（５２）。
【発明の詳細な説明】
【技術分野】
【０００１】
本発明は、デジタルバーサタイルディスク（ＤＶＤ）やコンパクトディスク（ＣＤ）などの記録媒体が万引きされないよう収納するための、環境にやさしい収納パッケージおよび収納パッケージを組み立てる方法に関するものである。より詳しくは、本発明はプラスチックフレームおよび非プラスチックのパネルによって構成された収納パッケージに関するものである。
【背景技術】
【０００２】
本明細書で用いられる記録媒体とは、情報がデジタル形式で記録されるいかなる媒体をも広く含む。この媒体は、例えば記録された文書、画像、動画およびバイナリデータを運ぶための直径１２０ｍｍの標準のディスクや、他の情報やデータを記録するための様々な大きさの類似のディスクを含む。一般に、記録媒体は、購入前および使用されていないとき、パッケージの中に収納されている。このようなパッケージは、一般に、複数の部品からなり組み立てを必要とする射出成形パッケージによって形成されており、ヒンジを有する蓋、基盤、および独立したジャケットを含んでいる。このようなパッケージは、生産や組み立てにコストがかかるという問題のほかに、消費者にとって開けにくいという問題がある。消費者がパッケージを開ける際に力をかける結果、記録媒体がパッケージから離脱したり、記録媒体に傷がついたりしがちであった。
【０００３】
一般に、記録媒体は、ＣＤに使われてよく知られているジュエルケース（ｊｅｗｅｌ  ｃａｓｅ）に収納されている。ジュエルケースは、フレームの１つの側部において互いに回転可能に接続される硬質プラスチック部品によってほぼ全体が構成されている。ジュエルケースは、耐久性および記録媒体に対する高い保護性能のために、記録媒体を生産する業界で標準的に用いられる。しかしながら、ジュエルケースは比較的高価であり、しかも大部分が生物分解性を有さないプラスチックにより構成されているため環境に適していない。
【０００４】
現在、記録媒体、とりわけＤＶＤを収納するためのパッケージは主に２種類ある。米国特許５７８８０６８号および米国特許５３６６０７４号には、この種の記録媒体を収納するための最も一般的な収納パッケージが開示されている。
【０００５】
米国特許５７８８０６８号に開示されたパッケージは、ジュエルケースに類似した構成を有するが、ジュエルケースと異なるヒンジおよびラッチ機構を有しており、更に、折込みの図画広告を留めるためのクリップを有している。
【０００６】
しかしながら、米国特許５７８８０６８号に記載されたパッケージは、ジュエルケースが有する欠点に加え、フレームが不透明であるために図画を掲載するための表面積が小さく、また組み立てが複雑であるという問題がある。
【０００７】
米国特許５３６６０７４号に開示されたパッケージは、プラスチックの記録媒体ホルダーと、相互に接続された複数の厚紙のパネルによって構成され、背の部分を中心に開状態の位置と閉状態の位置との間で旋回するようになっている。
【０００８】
この後者のパッケージは、複数の視覚的に訴える図面パネルを掲示できるという点で用途が広く、記録媒体ホルダーを除いて専ら生物分解性を有する厚紙によって構成されている。
【０００９】
しかしながら、厚紙のパッケージは、ジュエルケースのような安定性や耐久性を有しておらず、完全に満足できるというものではなかった。更に、厚紙のパッケージは、通常の使用によって摩損および破壊を受けやすく、パッケージの識別情報が劣化する原因となっていた。
【００１０】
厚紙のパッケージおよび米国特許５７８８０６８号に記載されたパッケージは、更に、保護用の収縮包装を切り開いて、パッケージの状態を変えずに記録媒体を取り出せるため、記録媒体が比較的容易に万引きされるという問題を有していた。
【００１１】
記録媒体の収納に関する更なる問題は、販売時に積み重ねられて陳列される場合においても記録媒体が簡単に識別できるよう、識別証が印刷されたステッカーを更にパッケージの側面背部に必要とすることである。
【００１２】
また、従来の技術におけるパッケージは、販売促進用の製品や図面をその外面に追加することができなかった。
【発明の開示】
【発明が解決しようとする課題】
【００１３】
したがって、厚紙のブランクおよび容易に組み立てができるフレームによって構成され、万引きを抑止し、購入後に処分される廃棄物の量を最小限にする、十分な堅さを有する低価格の記録媒体パッケージが必要である。更に、販売促進用の図画、クーポンあるいはディスクを収容することができるパッケージが必要である。
【００１４】
したがって、本発明の第１の目的は、製造および組み立てが比較的安価になるよう改良された記録媒体パッケージを提供することである。
【００１５】
本発明の他の目的は、環境にやさしく、再生紙あるいは再生可能な厚紙で構成されるよう改良された記録媒体パッケージを提供することである。
【００１６】
本発明の更なる目的は、厚紙画像を有するパネルを保護し、厚紙が摩損したり破壊されたりすることを防ぐよう改良された記録媒体パッケージを提供することである。
【００１７】
本発明の更なる目的は、万引きを抑止する構成を有するよう改良された記録媒体パッケージを提供することである。
【課題を解決するための手段】
【００１８】
上記の目的は、第１および第２のフレーム部材と共働して記録媒体を囲む空間を形成するブランクと、記録媒体を離脱可能に固定するハブとを有する本発明の記録媒体パッケージによって達成できる。中央の背部のパネルは、第１および第２のフレーム部材が折畳軸を中心に回動するよう、第１および第２のフレーム部材を回転可能に接続する。第１および第２のフレーム部材は、少なくとも１つのレース溝を各々有し、レース溝は、引っかき線によって形成された複数のパネルが構成するブランクを摺動可能に収容するようになっている。ブランクは、引っかき線によって形成された複数のパネルとして折り畳むことが可能となる。各々のパネルは、フレーム部材のレース溝によって保持され、記録媒体を囲むようになっている。各々のレース溝は、複数のブランクや、略平面状の販売促進用の物品を収納できる大きさを有しており、少なくとも１つのレース溝は、折畳軸に対して垂直方向あるいは平行方向にブランクを保持するようになっている。
【００１９】
本発明の記録媒体パッケージは、さらに、略ドーム形状あるいは円錐形状の、記録媒体を離脱可能に固定する、弾力性を有しディスクを係合するハブに特徴を有する。ハブに係合した状態において、記録媒体は、ハブの外周に複数の突起あるいは棚型の肩部によって形成されたグリップ部によって保持される。ハブは、フレームのハブホルダーに固定されるよう基盤部と一体的に形成される。
【００２０】
本発明の記録媒体パッケージは、ピンを開口に係合させることによってフレーム部材を閉状態に固定する販売時用の固定部を有している。購入者は、支払い時あるいは購入者の家庭において、係合用のピンをナイフあるいははさみで切断することにより、記録媒体を利用できるようになる。
【００２１】
本発明の記録媒体パッケージは、更に、ブランクが、側面背部に沿い折り畳み可能な上部パネルを備えるという特徴を有している。上部パネルは、側面背部を形成するフレーム部材の小面と一直線に並ぶので、従来の識別証としての付加的なステッカーの代わりとして機能する。
【００２２】
より具体的には、本発明に係る記録媒体を収納するための収納パッケージは、少なくとも１つの側面と第１の係合端部とを有する第１のフレーム部材と、少なくとも１つの側面と第２の係合端部とを有する第２のフレーム部材と、を備え、第１のフレーム部材と第２のフレーム部材とが互いに回動可能に係合し、第１および第２のフレーム部材のうちの少なくとも一方がブランクを受け取るための少なくとも１つの側面を有している。ブランクは、引っかき線によって形成された複数の略平面のパネルを有し、第１および第２のフレーム部材が有する少なくとも１つの受取部に摺動可能に挿入されるようになっている。ブランクが第１および第２のフレーム部材に係合されることにより、記録媒体を囲む空間が形成される。
【００２３】
他の実施の形態は、記録媒体パッケージを組み立てる方法であり、
（１）互いに固定するための少なくとも１つの係合端部を各々有する第１および第２のフレーム部材を準備するステップと、
（２）厚さの異なる少なくとも１つ以上のブランクを収納するためのブランク受取部を準備するステップと、
（３）引っかき線によって形成された複数の略平面のパネルによって構成されるブランクを準備するステップと、
（４）ブランクとフレーム部材とが共働して記録媒体を囲む空間を形成するよう、ブランクをフレーム部材に係合させるステップと、を有している。
【００２４】
もう１つの実施の形態は、記録媒体パッケージを組み立てる方法であり、
（１）ブランクを第１および第２のフレーム部材に挿入させるステップと、
（２）第１および第２のフレーム部材を摺動させるステップと、
（３）第１および第２のフレーム部材をお互いに固定するステップと、を有している。ブランクは、第１および第２のフレーム部材に、折畳軸に対し平行あるいは垂直の方向に挿入される。
【発明を実施するための最良の形態】
【００２５】
以下、本発明の実施の形態のパッケージ１０について、図１、２Ａおよび２Ｂを用いて説明する。
【００２６】
パッケージ１０は、ＣＤ、ＤＶＤあるいはディスク形状の記録媒体１２を保護するために使われる（図５に示される）。本実施の形態において、パッケージ１０は、少なくとも１つの側面に第１の係合端部１６を、少なくとも１つの側面に沿ってブランク受取部１８を有する第１のフレーム部材１４を備える。
【００２７】
また、パッケージ１０は、第１の係合端部１６と係合する第２の係合端部２２を有する第２のフレーム部材２０を備え、第２のフレーム部材２０は、少なくとも１つの側面にブランク受取部１８を有する。
【００２８】
第１のフレーム部材１４および第２のフレーム部材２０は、それぞれフレーム部１４ａ〜１４ｄおよび２０ａ〜２０ｄを有している。図１に示された第１のフレーム部材１４および第２のフレーム部材２０において、“ａ”は上部の、“ｂ”は右部の、“ｃ”は下部の、“ｄ”は左部のフレーム部をそれぞれ表している。第１のフレーム部材１４および第２のフレーム部材２０は、全体としてフレーム２４を構成している。本実施の形態において、フレーム２４は、射出成形のプラスチック材料によって形成されている。プラスチック材料としては、ポリスチレン、ポリプロピレンまたは当業者にとって周知の材料が好ましい。また、安価で自己支持型の材料として、熱成形のプラスチック材料であってもよい。
【００２９】
ブランク２６は、図１に示されるように、純粋なあるいは再生可能な厚紙などの非プラスチック材料によって形成され、プラスチック材料によってコーティングされることが好ましいが、画像印刷が可能で、パッケージに係合するのにふさわしい材料であればよい。パネル材料としては、波形や端がひだ状になっている厚紙および平らな厚紙などを含む様々な種類の堅い厚紙が好ましい。ブランク２６は、更に、折り込み広告や、メモリディスクなど販売促進用の物品を含んでもよい。ブランク２６は、第１および第２のフレーム部材１４、２０が有する少なくとも１つのブランク受取部１８に挿入されるよう形成されており、また、ブランクの一部が細長いフレーム部２０ｂと一致するようになっている。また、ブランク２６は、引っかき線３２によって形成された複数の略平面のパネル２８、２９および３０によって構成されている。
【００３０】
本発明の実施の形態において、ブランクが２つの主要なパネルによって構成される場合について説明したが、ブランクが２つより多いあるいは２つより少ない数のパネルによって構成されていてもよい。複数のパネル２８、２９および３０は、例えば、予め引っかき線をつけられた１つのブランク２６によって形成されており、上面３４と下面３６の両面に予め印刷が施されている。ブランク２６の上面および下面３４、３６は、フレーム２４に係合されたときにほとんど遮られず、また、上面および下面はいずれも印刷されることが可能であるので、上面および下面の比較的広い範囲の部分において印刷された情報を提供することができる。
【００３１】
ブランク２６は、フレーム２４のブランク受取部１８に形成されたレース溝３８に沿って摺動可能に係合し、第１および第２のフレーム部材１４、２０と共働して記録媒体１２を囲む空間を形成するようになっている。レース溝３８は、少なくとも１つの細長いフレーム部（１４ａ〜１４ｄ、２０ａ〜２０ｄ）によって形成されている。レース溝３８は、Ｌ字型が形成されるよう脚部４０および垂直に突出した唇部４２によって構成されることが望ましい。脚部４０は、複数のブランクを収容するための十分な長さを有するようになっている。本実施の形態においては、パッケージがＬ字型のレース溝を有する構成について記したが、パッケージがブランク２６を収容するためにＣ字型のレース溝やほかの形のレース溝を有するようになっていてもよい。
【００３２】
本実施の形態において、レース溝３８は折畳軸４４に対して平行か垂直のうちいずれか一方の方向にブランク２６を収容するようになっている（図１に示す）。また、フレーム２４が、互いに対向する２つのレース溝３８を有し、これらのレース溝３８が、パネル２８、３０を摺動可能に収容するチャンネル４６を形成することが望ましい。レース溝３８は、複数のブランク２６や、図画、クーポン、ディスクなど販売促進用の物品を収納できる大きさを有する。ブランク２６は、レース溝３８に係合した状態において、化学的接着剤、熱ステーキング、音波溶接、あるいは公知の技術によって第１および第２のフレーム部材１４、２０に付着される。また、レース溝３８の端部は、熱を加えることによって閉じられている。つまり、レース溝３８の端部を塞いだり端部にひだを形成したりすることによって、ブランク２６がフレーム２４から脱落しないようになっている。また、レース溝３８内のブランク２６を、堅い摩擦固定（フリクションフィット）、レース溝内の突起、あるいは既知の締め具などの機械的な固定技術によって固定してもよい。更に、フレーム部１４ａ〜１４ｄ、２０ａ〜２０ｄに沿って化学的接着剤あるいは熱を加えることによってブランク２６をフレーム２４に固定してもよい。
【００３３】
本発明の実施の形態において、第２のフレーム部材２０は、図１および図５に示すように、ハブ５２に設けられた略環状のフランジ状の基盤部５０を少なくとも１つの細長いフレーム部２０ａ〜２０ｄに接続するためのハブホルダー４８を有している。本実施の形態において、ハブホルダー４８は、対向する位置に配置された１対のアーム５４を有し、アーム５４は、対応する細長いフレーム部２０ａ〜２０ｄにそれぞれ固定されている。アーム５４は、フレーム２０と一体的に形成されてもよいが、本発明においては、アーム５４が、化学的接着剤、音波溶接、あるいは公知のプラスチック接着法によってフレーム２０に固定されていてもよい。また、アーム５４の数およびお互いのアームの位置関係は、用途に応じて変化してもよい。
【００３４】
図５に示すように、弾力性を有しディスクを係合するハブ５２は、ハブの基盤部５０を介して、少なくとも１つのフレーム部材１４、２０に固定されており、記録媒体１２を離脱可能に固定する。本発明に係るパッケージ１０は、ハブ５２がフレーム２４と異なる材料によって形成されてもよいという利点を有している。本実施の形態において、ハブ５２は、ポリプロピレン、高密度ポリエチレン（ＨＤＰＥ）および低密度ポリエチレン（ＬＤＰＥ）などのオレフィンや、スチレン・アクリロニトリル樹脂（ＳＡＮ）およびシリコンなどの樹脂のような、比較的柔軟性が高く、弾力性を有する物質によって形成されている。ハブ５２は、記録媒体１２が第１の位置（図５に実線で示す）に固定されるように形成および配置される。記録媒体１２は、利用者がハブ５２の略中央の部分に押圧Ｆを加えることによって、ハブ５２から取り外される。
【００３５】
図５に示すように、ハブ５２は、ドーム状あるいは円錐状の押圧部５６と、記録媒体１２において情報が記録されていない部分６０を固定するグリップ部５８とを有し、記録媒体１２の情報記録部６２がハブホルダー４８およびフレーム２４と接触しないように記録媒体１２を保持している。グリップ部５８は、一組の独立して互いに離隔した突起、連続した環状部、あるいは他の形状によって構成されており、記録媒体１２をハブ５２の環状の段部６４に対して付勢させるようになっている。押圧Ｆをドーム形状の押圧部５６に加えると、グリップ部５８が垂直方向に収縮あるいは旋回し、記録媒体１２との係合が外れるようになっている（破線で示す）。
【００３６】
基盤部５０は、ハブ５２とハブホルダー４８とを接続するようになっており、接着、熱ステーク、あるいは公知の接着技術によってハブホルダー４８に固定されている。
【００３７】
基盤部５０は、ハブホルダー４８の上面６６あるいは裏面６８のいずれかに固定されている。基盤部５０がハブホルダー４８の裏面６８に固定されている場合、押圧部５６、グリップ部５８および環状の段部６４は、ハブホルダー４８の中央部７１に形成された開口７０を貫いて突出している。ハブホルダー４８は、第１および第２のフレーム部材１４、２０のいずれか一方に設けられていればよい。
【００３８】
図１および図４に示すように、ヒンジ７２は、第１および第２のフレーム部材１４、２０のうちの少なくとも１つに固定されており、第１および第２のフレーム部材がそれぞれ有する第１および第２の係合端部１６、２２を回転自在に接続するようになっている。ブランク２６を構成する第１および第２のパネル２８、３０は、中央の背部のパネル２９に回転可能に接続されており、開状態と閉状態とをとるよう折畳軸４４を中心に回転可能になっている。ヒンジ７２は、中央の背部のパネル２９と重ね合わされており、パッケージ１０の閉状態において、ブランク２６が折畳軸４４に対して垂直方向に移動できるようになっている。
【００３９】
本実施の形態においては、ヒンジ７２は、第１および第２のフレーム部材１４、２０のうち少なくとも一方と一体的に形成されており、ヒンジ端部７６、７８に溝あるいは薄い部分を形成することによって回転可能となっている。他の実施の形態として、図４に示すように、ヒンジ端部７６、７８は、上述した垂直方向の動きが更に容易になるよう（破線で示す）、略アーチあるいは半円の形状を有していてもよい。ヒンジ７２は、少なくとも１つのフレーム部材１４、２０と一体的に形成される場合に限られず、回転可能に接続する公知の技術の構成を有していればよく、例えば、パッケージを組み立てた後に、フレーム部材１４、２０に接続される独立したヒンジパネル１７２を有するようにしてもよい（図６に示す）。
【００４０】
図１、２Ａおよび２Ｂに示すように、パッケージの側面背部８２によって記録媒体１２を識別できるよう、ブランク２６は、折り曲げ可能な上部パネル８４を有している。折り曲げ可能な上部パネル８４は、第１および第２のフレーム部材１４、２０のうち少なくとも一方が有する保護用小面（ベゼル）８６と一直線にならんでおり、小面８６によって形成される中央の開口８８を介して閲覧されるようになっている。小面８６は、フレーム部２０ａの端に沿って固定されており、折り曲げ可能な上部パネル８４が、側面背部８２に沿って閲覧可能となる。したがって、識別証としての付加的なステッカーを必要としない。ここで、フレーム２４が組み立てられた後に独立した小面８６を固定するようにしてもよい。本実施の形態においては、小面８６はレース溝３８の一部を形成している。また、小面８６は、フレーム２４の開口８９に係合するスナップ部８７を有している（図２Ａおよび２Ｂに示す）。
【００４１】
図１に示すように、フレーム部材１４、２０のうちの少なくとも一方が、クリップ９０を有しており、クリップ９０は、印刷された小冊子や、メモリディスクを含めて略平面状の物質などをパッケージの内部に保持するようになっている。クリップ９０は、第１および第２のフレーム部材１４、２０が開状態と閉状態の間で回転することを妨げない位置に溶接されている。
【００４２】
図１および図３に示すように、フレーム２４は、販売時に第１および第２のフレーム部材１４，２０を閉状態において固定するための固定部９２を有している。固定部９２は、ピン９４と、ピン９４を受け入れる開口９６により構成されている。ピン９４および開口９６は、それぞれ第１および第２のフレーム部材１４、２０に、あるいはその逆に設けられている。ピン９４は、開口９６から突出するようになっており、突出した位置においてピン９４と開口９６との隙間に封をするようになっている。例えば、ピン９４の先端を広げたり平らにしたりしてリベットを形成することにより、ピン９４が開口９６との隙間に封をするようになっている。第１のフレーム部材１４は、第１の凹部９８を、第２のフレーム部材２０は、第２の凹部９９をそれぞれ有する。第１の凹部９８および第２の凹部９９は、固定部９２を収容し、閉状態において第１のフレーム部材１４と第２のフレーム部材２０とを同一面で接触させ、中身が盗まれるのを防ぐようになっている。
【００４３】
以下、本発明の他の実施の形態におけるパッケージ１００について、図６を用いて説明する。パッケージ１０と同様の構成要素には同一の番号を付与する。第１および第２のフレーム部材１１４、１２０は、一体的に形成あるいは成形されたものではなく、別々の部材であり、ブランク２６がブランク受取部１８に挿入された後に独立したヒンジ１７２によって互いに回転自在に接続される。ヒンジ１７２は、フレーム１２４が組み立てられる前に、第１および第２のフレーム部材１１４、１２０のいずれかに固定されていてもよい。ハブホルダー１４８は、Ｘ字型を有しており、ハブの基盤部５０を保持するようになっている。フレーム１２４は、折畳軸４４に平行か垂直のうちいずれか一方の方向にブランク２６を収容するためのレース溝を有する。パッケージ１０の場合と同様に、本実施の形態では、フレームは折畳軸４４に対して垂直の方向に挿入される。フレームが折畳軸４４に対して平行の方向に挿入される場合、レース溝は、パッケージ１０の場合においてレース溝が設置される１１４ａ、１１４ｃ、１２０ａ、１２０ｃの位置に対して９０度回転した位置となる１１４ｂ、１１４ｄ、１２０ｂ、１２０ｄに設けられる。本実施の形態において、パッケージは、以下のように組み立てられる。（１）ブランクを第１および第２のフレーム部材に係合させる。（２）第１および第２のフレーム部材を摺動し、固定する。（３）第１および第２のフレーム部材をお互いに固定する。ブランクの第１および第２のフレーム部材への挿入は、折畳軸に対して平行および垂直のうち少なくとも１つの方向に行われる。
【００４４】
厚紙のブランクおよびフレームによって構成される、十分な堅さを有した記録媒体パッケージの好ましい実施の形態を示したが、本発明の請求の範囲内において変更や修正をしてもよい。
【図面の簡単な説明】
【００４５】
【図１】本発明の実施の形態におけるパッケージの分解斜視図
【図２】（ａ）明瞭にするためにハブを省略した状態において、図１の略図示された方向における２Ａ−２Ａ断面図  （ｂ）明瞭にするためにハブを省略した状態において、図１の略図示された方向における２Ｂ−２Ｂ断面図
【図３】凹部に設置された固定用スタッドの部分斜視図
【図４】ヒンジの回転を破線によって示す図１の略図示された方向における２Ａ−２Ａ部分斜視図
【図５】記録媒体が係合され、ハブ基盤部がフレームのハブホルダーに設置された状態におけるハブの垂直断面図
【図６】他の実施の形態において、一方のフレームがヒンジおよびＸ字型のハブホルダーを有する２つの分離したフレームと、２つのフレームの間にあるブランクとによって構成されるパッケージの分解斜視図
【図１】
2006509692.tif 000003
2006509692.tif 000004
【図３】
2006509692.tif 000005
【図４】
2006509692.tif 000006
【図５】
2006509692.tif 000007
【図６】
2006509692.tif 000008
【国際調査報告】
2006509692.tif 000009
2006509692.tif 000010
2006509692.tif 000011
2006509692.tif 000012